(57)【要約】  複数の空間ストリームを生成する通信のための方法及びシステム、ここにおいて複数の空間ストリームの各々は、トレーニング系列を有するデータパケットを具備し、また異なる拡散系列を用いて複数の空間ストリームの各々におけるトレーニング系列の少なくとも一部を乗算する。複数の空間ストリームを受信する方法及びシステム、ここにおいて複数の空間ストリームの各々は、トレーニング系列を有するデータパケットを具備し、異なる拡散系列を用いて複数の空間ストリームの各々におけるトレーニング系列の少なくとも一部を乗算し、そして異なる複数の拡散系列に基づいて複数の空間ストリームを復号化する。
2012500574.tif 000002
【特許請求の範囲】
【請求項１】
下記を具備する、通信のための装置：
複数の空間ストリームを生成するように構成される処理システム、ここにおいて前記複数の空間ストリームの各々は、トレーニング系列を有するデータパケットを具備し、前記処理システムは、異なる拡散系列を用いて前記複数の空間ストリームの各々における前記トレーニング系列の少なくとも一部を乗算するように更に構成される。
【請求項２】
前記複数のトレーニング系列の各々は、複数のサブキャリアを具備し、またここにおいて前記処理システムは、異なる拡散系列を用いて前記複数の空間ストリームの各々における前記トレーニング系列の前記少なくとも一部の前記複数のサブキャリアを乗算するように更に構成される、請求項１に記載の装置。
【請求項３】
前記複数の拡散系列の各々は、直交系列を具備する、請求項１に記載の装置。
【請求項４】
前記処理システムは、前記異なる複数の拡散系列のうちの１つ又はそれ以上に巡回遅延を適用するように更に構成される、請求項１に記載の装置。
【請求項５】
前記複数のトレーニング系列の各々は、ｋのゼロでないサブキャリアを具備する、請求項１に記載の装置。
【請求項６】
前記異なる複数の拡散系列の各々は、ｋの値を具備する、請求項５に記載の装置。
【請求項７】
前記複数の空間ストリームは、ｍの空間ストリームを具備し、またここにおいて前記処理システムは、前記異なる複数の拡散系列を具備するｍ×ｋ行列の一部を用いて前記複数の空間ストリームの各々における前記トレーニング系列の前記少なくとも一部を乗算するように更に構成される、請求項５に記載の装置。
【請求項８】
前記複数のトレーニング系列の各々は、複数のサブキャリアを具備し、またここにおいて前記処理システムは、前記異なる複数の拡散系列を具備するｍ×ｋ行列の前記一部を用いて前記複数の空間ストリームの各々における前記トレーニング系列の前記少なくとも一部の前記複数のサブキャリアを乗算するように更に構成される、請求項７に記載の装置。
【請求項９】
前記行列は、アダマール行列を具備する、請求項８に記載の装置。
【請求項１０】
前記処理システムは、前記異なる複数の拡散系列を具備するアダマール行列の一部を用いて前記複数の空間ストリームの各々における前記トレーニング系列の前記少なくとも一部を乗算するように更に構成される、請求項５に記載の装置。
【請求項１１】
前記処理システムは、前記異なる複数の拡散系列を具備する高速フーリエ変換（ＦＦＴ）行列を用いて前記複数の空間ストリームの各々における前記トレーニング系列の前記少なくとも一部を乗算するように更に構成される、請求項５に記載の装置。
【請求項１２】
複数のアンテナを更に具備する請求項１に記載の装置、ここにおいて前記処理システムは、前記複数の空間ストリームの各々を、前記複数のアンテナのうちの異なる１つのアンテナに提供するように更に構成される。
【請求項１３】
下記を具備する通信のための方法：
複数の空間ストリームを生成すること、ここにおいて前記複数の空間ストリームの各々は、トレーニング系列を有するデータパケット具備する；及び
異なる拡散系列を用いて前記複数の空間ストリームの各々における前記トレーニング系列の少なくとも一部を乗算すること。
【請求項１４】
前記複数のトレーニング系列の各々は、複数のサブキャリアを具備し、またここにおいて前記複数の空間ストリームの各々における前記トレーニング系列の前記少なくとも一部の前記複数のサブキャリアは、異なる拡散系列を用いて乗算される、請求項１３に記載の方法。
【請求項１５】
前記複数の拡散系列の各々は、直交系列を具備する、請求項１３に記載の方法。
【請求項１６】
前記方法は、前記異なる複数の拡散系列のうちの１つ又はそれ以上に巡回遅延を適用することを更に具備する、請求項１３に記載の方法。
【請求項１７】
前記複数のトレーニング系列の各々は、ｋのゼロでないサブキャリアを具備する、請求項１３に記載の方法。
【請求項１８】
前記異なる複数の拡散系列の各々は、ｋの値を具備する、請求項１７に記載の方法。
【請求項１９】
前記複数の空間ストリームは、ｍの空間ストリームを具備し、またここにおいて前記複数の空間ストリームにおける前記複数のトレーニング系列の前記少なくとも一部は、前記異なる複数の拡散系列を具備するｍ×ｋ行列の一部を用いて乗算される、請求項１７に記載の方法。
【請求項２０】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項１９に記載の方法。
【請求項２１】
前記行列は、アダマール行列を具備する、請求項２０に記載の方法。
【請求項２２】
前記複数の空間ストリームの各々における前記トレーニング系列の前記少なくとも一部は、前記異なる複数の拡散系列を具備するアダマール行列の一部を用いて乗算される、請求項１７に記載の方法。
【請求項２３】
前記複数の空間ストリームの各々における前記トレーニング系列の前記少なくとも一部は、前記異なる複数の拡散系列を具備するＦＦＴ行列を用いて乗算される、請求項１７に記載の方法。
【請求項２４】
前記複数の空間ストリームの各々を、複数のアンテナのうちの異なる１つのアンテナに提供することを更に具備する、請求項１３に記載の方法。
【請求項２５】
下記を具備する通信のための装置：
複数の空間ストリームを生成する手段、ここにおいて前記複数の空間ストリームの各々は、トレーニング系列を有するデータパケットを具備する；及び
異なる拡散系列を用いて前記複数の空間ストリームの各々における前記トレーニング系列の少なくとも一部を乗算する手段。
【請求項２６】
前記複数のトレーニング系列の各々は、複数のサブキャリアを具備し、またここにおいて前記乗算する手段は、異なる拡散系列を用いて前記複数の空間ストリームの各々における前記トレーニング系列の前記少なくとも一部の前記複数のサブキャリアを乗算するように構成される、請求項２５に記載の装置。
【請求項２７】
前記複数の拡散系列の各々は、直交系列を具備する、請求項２５に記載の装置。
【請求項２８】
前記装置は、前記異なる複数の拡散系列のうちの１つ又はそれ以上に巡回遅延を適用する手段を更に具備する、請求項２５に記載の装置。
【請求項２９】
前記複数のトレーニング系列の各々は、ｋのゼロでないサブキャリアを具備する、請求項２５に記載の装置。
【請求項３０】
前記異なる複数の拡散系列の各々は、ｋの値を具備する、請求項２９に記載の装置。
【請求項３１】
前記複数の空間ストリームは、ｍの空間ストリームを具備し、またここにおいて前記乗算する手段は、前記異なる複数の拡散系列を具備するｍ×ｋ行列の一部を用いて前記複数の空間ストリームにおける前記複数のトレーニング系列の前記少なくとも一部を乗算するように構成される、請求項２９に記載の装置。
【請求項３２】
前記複数のトレーニング系列の各々は、複数のサブキャリアを具備し、またここにおいて前記乗算する手段は、前記異なる複数の拡散系列を具備する前記ｍ×ｋ行列の前記一部を用いて前記複数の空間ストリームの各々における前記トレーニング系列の前記少なくとも一部の前記複数のサブキャリアを乗算するように構成される、請求項３０に記載の装置。
【請求項３３】
前記行列は、アダマール行列を具備する、請求項３１に記載の装置。
【請求項３４】
前記乗算する手段は、前記異なる複数の拡散系列を具備するアダマール行列の一部を用いて前記複数の空間ストリームの各々における前記トレーニング系列の前記少なくとも一部を乗算するように構成される、請求項２９に記載の装置。
【請求項３５】
前記乗算する手段は、前記異なる複数の拡散系列を具備するＦＦＴ行列を用いて前記複数の空間ストリームの各々における前記トレーニング系列の前記少なくとも一部を乗算するように構成される、請求項２９に記載の装置。
【請求項３６】
前記複数の空間ストリームの各々を、複数のアンテナのうちの異なる１つのアンテナに提供する手段を更に具備する、請求項２５に記載の装置。
【請求項３７】
下記を実行可能な複数の命令を用いて符号化される機械可読媒体を具備する、無線通信のためのコンピュータプログラム製品：
複数の空間ストリームを生成すること、ここにおいて前記複数の空間ストリームの各々は、トレーニング系列を有するデータパケットを具備する；及び
異なる拡散系列を用いて前記複数の空間ストリームの各々における前記トレーニング系列の少なくとも一部を乗算すること。
【請求項３８】
下記を具備するアクセスポイント：
ピアのノードのためにネットワークへのバックホールの接続をサポートするように構成される無線ネットワークアダプタ；及び
複数の空間ストリームを生成するように構成される処理システム、ここにおいて前記複数の空間ストリームの各々は、トレーニング系列を有するデータパケットを具備し、前記処理システムは、異なる拡散系列を用いて前記複数の空間ストリームの各々における前記トレーニング系列の少なくとも一部を乗算するように更に構成される。
【請求項３９】
下記を具備する通信のための装置：
複数の空間ストリームを受信するように構成される処理システム、ここにおいて前記複数の空間ストリームの各々は、トレーニング系列を有するデータパケットを具備し、またここにおいて前記複数の空間ストリームの各々における前記トレーニング系列の少なくとも一部は、異なる拡散系列を用いて乗算され、前記処理システムは、前記異なる複数の拡散系列に基づいて前記複数の空間ストリームを復号化するように更に構成される。
【請求項４０】
前記複数のトレーニング系列の各々は、複数のサブキャリアを具備し、また前記複数の空間ストリームの各々における前記トレーニング系列の前記少なくとも一部の前記複数のサブキャリアは、異なる拡散系列を用いて乗算される、請求項３９に記載の装置。
【請求項４１】
前記複数の拡散系列の各々は、直交系列を具備する、請求項３９に記載の装置。
【請求項４２】
前記異なる複数の拡散系列のうちの１つ又はそれ以上は、巡回遅延を具備する、請求項３９に記載の装置。
【請求項４３】
前記異なる複数のトレーニング系列の各々は、ｋのゼロでないサブキャリアを具備する、請求項３９に記載の装置。
【請求項４４】
前記異なる複数の拡散系列の各々は、ｋの値を具備する、請求項４３に記載の装置。
【請求項４５】
前記複数の空間ストリームは、ｍの空間ストリームを具備し、またここにおいて前記複数の空間ストリームの各々における前記トレーニング系列の前記少なくとも一部は、前記異なる複数の拡散系列を具備するｍ×ｋ行列の一部を用いて乗算される、請求項４３に記載の装置。
【請求項４６】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項４５に記載の装置。
【請求項４７】
前記行列は、アダマール行列を具備する、請求項４６に記載の装置。
【請求項４８】
前記複数の空間ストリームの各々における前記トレーニング系列の前記少なくとも一部は、前記異なる複数の拡散系列を具備するアダマール行列の一部を用いて乗算される、請求項４３に記載の装置。
【請求項４９】
前記複数の空間ストリームの各々における前記トレーニング系列の前記少なくとも一部は、前記異なる複数の拡散系列を具備するＦＦＴ行列を用いて乗算される、請求項４３に記載の装置。
【請求項５０】
複数のアンテナを更に具備する請求項３９に記載の装置、ここにおいて前記処理システムは、前記複数の空間ストリームの各々を、前記複数のアンテナのうちの異なる１つのアンテナを介して受信するように更に構成される。
【請求項５１】
前記処理システムは、自動利得制御を設定するために前記複数のトレーニング系列の各々を使用するように更に構成される、請求項３９に記載の装置。
【請求項５２】
前記処理システムは、デジタル利得を修正するために前記複数のトレーニング系列の各々を使用するように更に構成される、請求項３９に記載の装置。
【請求項５３】
下記を具備する、通信のための方法：
複数の空間ストリームを受信すること、ここにおいて前記複数の空間ストリームの各々は、トレーニング系列を有するデータパケットを具備し、ここにおいて前記複数の空間ストリームの各々における前記トレーニング系列の少なくとも一部は、異なる拡散系列を用いて乗算される；及び
前記複数の異なる拡散系列に基づいて前記複数の空間ストリームを復号化すること。
【請求項５４】
前記複数のトレーニング系列の各々は、複数のサブキャリアを具備し、またここにおいて前記複数の空間ストリームの各々における前記トレーニング系列の前記少なくとも一部の前記複数のサブキャリアは、異なる拡散系列を用いて乗算される、請求項５３に記載の方法。
【請求項５５】
前記複数の拡散系列は、直交系列を具備する、請求項５３に記載の方法。
【請求項５６】
前記異なる複数の拡散系列のうちの１つ又はそれ以上は、巡回遅延を具備する、請求項５３に記載の方法。
【請求項５７】
前記複数のトレーニング系列の各々は、ｋのゼロでないサブキャリアを具備する、請求項５３に記載の方法。
【請求項５８】
前記異なる複数の拡散系列の各々は、ｋの値を具備する、請求項５７に記載の方法。
【請求項５９】
前記複数の空間ストリームは、ｍの空間ストリームを具備し、またここにおいて前記複数の空間ストリームの各々における前記トレーニング系列の前記少なくとも一部は、前記異なる複数の拡散系列を具備するｍ×ｋ行列の一部を用いて乗算される、請求項５７に記載の方法。
【請求項６０】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項５９に記載の方法。
【請求項６１】
前記行列は、アダマール行列を具備する、請求項６０に記載の方法。
【請求項６２】
前記複数の空間ストリームの各々における前記トレーニング系列の前記少なくとも一部は、前記異なる複数の拡散系列を具備するアダマール行列の一部を用いて乗算される、請求項５７に記載の方法。
【請求項６３】
前記複数の空間ストリームの各々における前記トレーニング系列の前記少なくとも一部は、前記異なる複数の拡散系列を具備するＦＦＴ行列を用いて乗算される、請求項５７に記載の方法。
【請求項６４】
前記複数の空間ストリームの各々は、複数のアンテナのうちの異なる１つのアンテナを介して受信される、請求項５３に記載の方法。
【請求項６５】
自動利得制御を設定するために前記複数のトレーニング系列の各々を使用することを更に具備する、請求項５３に記載の方法。
【請求項６６】
前記処理システムは、デジタル利得を修正するために前記複数のトレーニング系列の各々を使用することを更に具備する、請求項５３に記載の方法。
【請求項６７】
下記を具備する、通信のための装置：
複数の空間ストリームを受信する手段、ここにおいて前記複数の空間ストリームの各々は、トレーニング系列を有するデータパケットを具備し、ここにおいて前記複数の空間ストリームの各々における前記トレーニング系列の少なくとも一部は、異なる拡散系列を用いて乗算される；及び
前記異なる複数の拡散系列に基づいて前記複数の空間ストリームを復号化する手段。
【請求項６８】
前記複数のトレーニング系列の各々は、複数のサブキャリアを具備し、またここにおいて前記複数の空間ストリームの各々における前記トレーニング系列の前記少なくとも一部の前記複数のサブキャリアは、異なる拡散系列を用いて乗算される、請求項６７に記載の装置。
【請求項６９】
前記複数の拡散系列の各々は、直交系列を具備する、請求項６７に記載の装置。
【請求項７０】
前記異なる複数の拡散系列のうちの１つ又はそれ以上は、巡回遅延を具備する、請求項６７に記載の装置。
【請求項７１】
前記複数のトレーニング系列の各々は、ｋのゼロでないサブキャリアを具備する、請求項６７に記載の装置。
【請求項７２】
前記異なる複数の拡散系列の各々は、ｋの値を具備する、請求項７１に記載の装置。
【請求項７３】
前記複数の空間ストリームは、ｍの空間ストリームを具備し、またここにおいて前記複数の空間ストリームの各々における前記トレーニング系列の前記少なくとも一部は、前記異なる複数の拡散系列を具備するｍ×ｋ行列の一部を用いて乗算される、請求項７１に記載の装置。
【請求項７４】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項７３に記載の装置。
【請求項７５】
前記行列は、アダマール行列を具備する、請求項７４に記載の装置。
【請求項７６】
前記複数の空間ストリームの各々における前記トレーニング系列の前記少なくとも一部は、前記異なる複数の拡散系列を具備するアダマール行列の一部を用いて乗算される、請求項７１に記載の装置。
【請求項７７】
前記複数の空間ストリームの各々における前記トレーニング系列の前記少なくとも一部は、前記異なる複数の拡散系列を具備するＦＦＴ行列を用いて乗算される、請求項７１に記載の装置。
【請求項７８】
前記受信する手段は、前記複数の空間ストリームの各々を、複数のアンテナのうちの異なる１つのアンテナを介して受信するように構成される、請求項６７に記載の装置。
【請求項７９】
自動利得制御を設定するために前記複数のトレーニング系列の各々を使用する手段を更に具備する、請求項６７に記載の装置。
【請求項８０】
デジタル利得を修正するために前記複数のトレーニング系列の各々を使用する手段を更に具備する、請求項６７に記載の装置。
【請求項８１】
下記を実行可能な複数の命令を用いて符号化される機械可読媒体を具備する、通信のためのコンピュータプログラム製品：
複数の空間ストリームを受信すること、ここにおいて前記複数の空間ストリームの各々は、トレーニング系列を有するデータパケットを具備し、またここにおいて前記複数の空間ストリームの各々における前記トレーニング系列の少なくとも一部は、異なる拡散系列を用いて乗算される；及び
前記異なる複数の拡散系列に基づいて前記複数の空間ストリームを復号化すること。
【請求項８２】
下記を具備するアクセス端末：
複数の空間ストリームを受信するように構成される処理システム、ここにおいて前記複数の空間ストリームの各々は、トレーニング系列を有するデータパケットを具備し、またここにおいて前記複数の空間ストリームの各々における前記トレーニング系列の少なくとも一部は、異なる拡散系列を用いて乗算され、前記処理システムは、前記異なる複数の拡散系列に基づいて前記複数の空間ストリームを復号化するように更に構成される；及び
前記処理システムによってサポートされるユーザインタフェース。
【発明の詳細な説明】
【関連技術】
【０００１】
［３５Ｕ．Ｓ．Ｃ．§１１９に基づく優先権の主張］
本出願は、本出願人にその権利が譲渡され、本願において参考文献として組み込まれる仮米国特許出願第６１／０９０，１３４号（２００８年８月１９日に出願された「正確なＶＨＴ  ＡＧＣ  パワー設定のための変更されたＳＴＦ及びＬＴＦ（ＭＯＤＩＦＩＥＤ  ＳＴＦ  ＡＮＤ  ＬＴＦ  ＦＯＲ  ＡＣＣＵＲＡＴＥ  ＶＨＴ  ＡＧＣ  ＰＯＷＥＲ  ＳＥＴＴＩＮＧ）」）に基づいて優先権を主張している。
【技術分野】
【０００２】
以下の記述は、一般に通信システムに関し、特に、自動利得制御パワー設定のための変更された複数のトレーニングフィールド（training fields）に関する。
【背景技術】
【０００３】
無線通信システムに対して要求される、増加する帯域幅要件（bandwidth requirements）の問題に取り組むために、高いデータスループットを達成すると同時に、複数のチャネルリソースを共有することによって、マルチプルな（multiple）複数のユーザ端末に単一のアクセスポイントと通信することを可能にするための異なる複数のスキームが開発されている。多入力又は多出力（ＭＩＭＯ）技術は、次世代通信システムのためのポピュラーな技術（popular technique）として最近出現した、１つのそのようなアプローチを示す。ＭＩＭＯ技術は、米国電気電子学会（ＩＥＥＥ）８０２．１１規格のような幾つかの新興（emerging）の無線通信規格において採用された。ＩＥＥＥ  ８０２．１１は、短距離の通信（例えば、数十メートルから数百メートルまで）のためにＩＥＥＥ  ８０２．１１委員会によって開発された無線ローカルエリアネットワーク（ＷＬＡＮ）無線インタフェース規格のセットの名称である。
【０００４】
高速スループット（ＶＨＴ: Very High Throughput）と称される８０２．１１の新しいバージョンは、空間分割多元接続（ＳＤＭＡ：Spatial-Division Multiple Access）を用いて幾つかの受信機と通信するためにＭＩＭＯを利用する。ＳＤＭＡは、同一の周波数スペクトルを共有するために、異なる複数の受信機に同時に送信されるマルチプルな複数のストリームを可能にする多元接続スキームである。何れの所与のストリーム内では、大きな自動利得制御（ＡＧＣ）誤りを引き起こす可能性のある、パワーにおける著しい変動があり得る。そのようなパワーの変動に対処するための技術が、当該技術分野において必要とされる。
【発明の概要】
【０００５】
本開示の１つの態様では、通信のための装置は、複数の空間ストリームを生成するように構成される処理システムを含み、ここにおいて複数の空間ストリームの各々は、トレーニング系列を有するデータパケットを具備する。該処理システムは、異なる拡散系列を用いて複数の空間ストリームの各々におけるトレーニング系列の少なくとも一部を乗算する（multiply）ように更に構成される。
【０００６】
本開示の別の態様では、通信のための方法は、複数の空間ストリームを生成することを含み、ここにおいて複数の空間ストリームの各々は、トレーニング系列を有するデータパケットを具備する。該方法は、異なる拡散系列を用いて複数の空間ストリームの各々におけるトレーニング系列の少なくとも一部を乗算することを更に含む。
【０００７】
本開示のなお別の態様では、通信のための装置は、複数の空間ストリームを生成する手段を含み、ここにおいて複数の空間ストリームの各々は、トレーニング系列を有するデータパケットを具備する。該装置は、異なる拡散系列を用いて複数の空間ストリームの各々におけるトレーニング系列の少なくとも一部を乗算する手段を更に含む。
【０００８】
本開示の更なる態様では、無線通信のためのコンピュータプログラム製品は、複数の空間ストリームを生成すること、ここにおいて複数の空間ストリームの各々はトレーニング系列を有するデータパケットを具備する、及び異なる拡散系列を用いて複数の空間ストリームの各々におけるトレーニング系列の少なくとも一部を乗算することを実行可能な複数の命令を用いて符号化される機械可読媒体を含む。
【０００９】
本開示のなお更なる態様では、アクセスポイントは、ピアのノードのためにネットワークへのバックホールの接続をサポートするように構成される無線ネットワークアダプタ、及び処理システムを含む。該処理システムは、複数の空間ストリームを生成するように構成され、ここにおいて複数の空間ストリームの各々は、トレーニング系列を有するデータパケットを具備する。該処理システムは、異なる拡散系列を用いて複数の空間ストリームの各々におけるトレーニング系列の少なくとも一部を乗算するように更に構成される。
【００１０】
なお別の態様では、通信のための装置は、複数の空間ストリームを受信するように構成される処理システムを含み、ここにおいて複数の空間ストリームの各々は、トレーニング系列を有するデータパケットを具備し、またここにおいて複数の空間ストリームの各々におけるトレーニング系列の少なくとも一部は、異なる拡散系列を用いて乗算される。該処理システムは、異なる複数の拡散系列に基づいて複数の空間ストリームを復号化するように更に構成される。
【００１１】
本開示のなお別の態様では、通信のための方法は、複数の空間ストリームを受信することを含み、ここにおいて複数の空間ストリームの各々は、トレーニング系列を有するデータパケットを具備し、またここにおいて複数の空間ストリームの各々におけるトレーニング系列の少なくとも一部は、異なる拡散系列を用いて乗算される。該方法は、異なる複数の拡散系列に基づいて複数の空間ストリームを復号化することを更に含む。
【００１２】
本開示の更なる態様では、通信のための装置は、複数の空間ストリームを受信するための手段、ここにおいて複数の空間ストリームの各々は、トレーニング系列を有するデータパケットを具備し、またここにおいて複数の空間ストリームの各々におけるトレーニング系列の少なくとも一部は、異なる拡散系列を用いて乗算される、及び異なる複数の拡散系列に基づいて複数の空間ストリームを復号化するための手段を含む。
【００１３】
本開示のなお更なる態様では、通信のためのコンピュータプログラム製品は、複数の空間ストリーム受信すること、ここにおいて複数の空間ストリームの各々は、トレーニング系列を有するデータパケットを具備し、またここにおいて複数の空間ストリームの各々におけるトレーニング系列の少なくとも一部は、異なる拡散系列を用いて乗算される、及び異なる複数の拡散系列に基づいて複数の空間ストリームを復号化することを実行可能な複数の命令を用いて符号化される機械可読媒体を含む。
【００１４】
本開示のなお別の更なる態様では、アクセス端末は、処理システムと、該処理システムによってサポートされるユーザインタフェースとを含む。該処理システムは、複数の空間ストリームを受信するように構成され、ここにおいて複数の空間ストリームの各々は、トレーニング系列を有するデータパケットを具備し、またここにおいて複数の空間ストリームの各々におけるトレーニング系列の少なくとも一部は、異なる拡散系列を用いて乗算される。該処理システムは、異なる複数の拡散系列に基づいて複数の空間ストリームを復号化するように更に構成される。
【図面の簡単な説明】
【００１５】
本発明のこれら及び他のサンプル態様は、以下に続く詳細な説明及び添付図面において説明され、ここにおいて
【図１】図１は、無線通信ネットワークの例を例示する概念図である。
【図２】図２は、無線ノードの例を例示するブロック図である。
【００１６】
一般的な方法に従って、幾つかの図面は明確さのために簡単化されることができる。従って、図面は、所与の装置（例えば、デバイス）又は方法の全ての構成要素を図示していない可能性がある。最後に、同様の参照番号は、複数の図及び明細書の全体にわたって同様の特徴を示すために使用されることができる。
【発明を実施するための形態】
【００１７】
本発明の様々な態様は、添付図面を参照して以下により詳細に記述される。しかしながら本発明は、多くの異なる形態で具体化（embodied）されることができ、またこの開示の全体にわたって示される何れの特定の構造又は機能に限定されると解釈されるべきではない。むしろこれらの態様は、この開示が綿密（thorough）及び完全（complete）であり、そして当業者に本発明の範囲を十分に伝えるように提供される。ここにおける複数の教示に基づいて、当業者は、本発明の範囲が本発明の何れの他の態様と組合わされて、或いはそれとは独立して、インプリメント（implemented）されようと、ここに開示される本発明の何れの態様をカバーするように意図されることを理解するべきである。例えば、ここに記載される任意の数の態様を使用して、方法は実施されることができ、或いは装置はインプリメントされることができる。更に、本発明の範囲は、ここに記載される本発明の様々な態様に加えて、或いはそれ以外の他の構造、機能、又は構造と機能を用いて実施されるそのような装置又は方法をカバーするように意図される。ここに開示される本発明の何れの態様は、請求項の１つ又は複数の構成要素によって具体化され得ることが理解されるべきである。
【００１８】
無線ネットワークの幾つかの態様が、ここで図１を参照して示される。無線ネットワーク１００は、概してノード１１０及び１２０と称される幾つかの無線ノードで示される。各無線ノードは、受信すること及び／又は送信することが可能である。以下に続く詳細な説明では、ダウンリンク通信に関しては、「アクセスポイント」という用語は、送信するノードを称するために使用され、そして「アクセス端末」という用語は、受信するノードを称するために使用されるのに対して、アップリンク通信に関しては、「アクセスポイント」という用語は、受信するノードを称するために使用され、そして「アクセス端末」という用語は、送信するノードを称するために使用される。しかしながら、当業者は、他の用語又は名称（nomenclature）がアクセスポイント及び／又はアクセス端末のために使用され得ることを容易に理解するであろう。例として、アクセスポイントは、基地局、ベーストランシーバ基地局、局、端末、ノード、アクセスポイントとして機能するアクセス端末、又は何か他の適切な用語として称されることができる。アクセス端末は、ユーザ端末、移動局、加入者局、局、無線デバイス、端末、ノード、又は何か他の適切な用語として称されることができる。この開示の全体にわたって記述される様々な概念は、それらの特定の名称にかかわらず全ての適切な無線ノードに適用されるように意図される。
【００１９】
無線ネットワーク１００は、複数のアクセス端末１２０に対してカバレッジを提供するために、地理的な領域の全体にわたって配置される任意の数のアクセスポイントをサポートすることができる。システム制御装置１３０は、複数のアクセス端末１２０のための他のネットワーク（例えば、インターネット）へのアクセスと同様に、複数のアクセスポイントの調整及び制御を提供するために使用されることができる。簡単化のために、１つのアクセスポイント１１０が示される。アクセスポイントは、一般にカバレッジの地理的な領域における複数のアクセス端末にバックホールのサービスを提供する固定された端末である。しかしながら、該アクセスポイントは、幾つかのアプリケーションでは移動可能であることができる。アクセス端末（固定又は移動可能であり得る）は、アクセスポイントのバックホールサービスを利用し、或いは他の複数のアクセス端末とピア−ツー−ピア（peer-to-peer）通信に従事する。アクセス端末の例は、電話（例えば、セルラー電話）、ラップトップコンピュータ、デスクトップコンピュータ、携帯情報端末（ＰＤＡ）、デジタルオーディオプレーヤー（例えば、ＭＰ３プレーヤー）、カメラ、ゲームコンソール、又はその他任意の適切な無線ノードを含む。
【００２０】
無線ネットワーク１００は、ＭＩＭＯ技術をサポートすることができる。ＭＩＭＯ技術を利用して、アクセスポイント１１０は、ＳＤＭＡを用いて同時にマルチプルな複数のアクセス端末１２０と通信することができる。本開示の背景技術の部分で説明されたように、ＳＤＭＡは、同一の周波数チャネルを共有するために、同一の時間に異なる複数の受信機に送信されるマルチプルな複数のストリームを可能にする多元接続スキームであり、結果としてより高いユーザ容量を提供する。これは、各データストリームを空間的にプリコーディング（precoding）し、そして次に各空間的にプリコーディングされたストリームを異なる送信アンテナを通じてダウンリンク上に送信することによって達成される。空間的にプリコーディングされた複数のデータストリームは、複数のアクセス端末に異なる空間署名（spatial signature）をもって到達し、それは各アクセス端末１２０に、そのアクセス端末１２０に行先を定められたデータストリームを回復する（recover）ことを可能にする。アップリンク上では、各アクセス端末１２０は、空間的にプリコーディングされたデータストリームを送信し、それはアクセスポイント１１０に、各空間的にプリコーディングされたデータストリームの発信源を識別することを可能にする。
【００２１】
１つ又は複数のアクセス端末１２０は、ある機能を可能にするために、マルチプルな複数のアンテナを備えられることができる。この構成を以て、アクセスポイント１１０におけるマルチプルな複数のアンテナは、追加の帯域幅又は送信パワーなしでデータスループットを向上するために、マルチプルなアンテナのアクセスポイントと通信するために使用されることができる。これは、送信機において、高いデータレート（data rate）の信号を異なる空間署名を有するマルチプルなより低いレートのデータストリームに分割することによって達成されることができ、従って受信機に、これらのストリームをマルチプルな複数のチャネルに分け、そして高いレートのデータ信号を回復するために該複数のストリームを正確に組み合わせることを可能にしている。
【００２２】
以下の開示の複数の部分が、ＭＩＭＯ技術をまたサポートする複数のアクセス端末を記述する一方で、アクセスポイント１１０はまた、ＭＩＭＯ技術をサポートしない複数のアクセス端末をサポートするように構成されることができる。このアプローチは、より新しいＭＩＭＯのアクセス端末が必要に応じて導入されることを許容しながら、より古いバージョンのアクセス端末（即ち、「レガシー（legacy）」端末）が無線ネットワークにおいて配置されたままであることを許容することができ、それらの耐用寿命を延ばしている。
【００２３】
以下に続く詳細な記述では、本発明の様々な態様が、直交周波数分割多重（ＯＦＤＭ）のような何れの適切な無線技術をサポートするＭＩＭＯシステムを参照して記述される。ＯＦＤＭは、正確な周波数間隔を隔てられた多くのサブキャリア上にデータを分散するスペクトル拡散技術である。該間隔は、受信機に複数のサブキャリアからデータを回復することを可能にする「直交性」を提供する。ＯＦＤＭシステムは、ＩＥＥＥ  ８０２．１１、又は何か他の無線インタフェース規格をインプリメントすることができる。
【００２４】
他の適切な無線技術は、例として、符号分割多元接続（ＣＤＭＡ）、時分割多元接続（ＴＤＭＡ）、又はその他任意の適切な無線技術、或いは適切な無線技術の何れの組み合わせを含む。ＣＤＭＡシステムは、ＩＳ−２０００、ＩＳ−９５、ＩＳ−８５６、広帯域−ＣＤＭＡ（ＷＣＤＭＡ）、又は何か他の適切な無線インタフェース規格を用いてインプリメントされることができる。ＴＤＭＡシステムは、汎ヨーロッパディジタル移動通信システム（ＧＳＭ（登録商標））又は何か他の適切な無線インタフェース規格をインプリメントすることができる。本発明の様々な態様は、何れの特定の無線技術及び／又は無線インタフェース規格に限定されるものではないことを当業者は容易に理解するであろう。
【００２５】
図２は、無線ノードの例を例示する概念ブロック図である。送信モードでは、ＴＸデータプロセッサ２０２は、データ送信装置２０１からデータを受信し、そして受信するノードにおいて前方誤り訂正（ＦＥＣ：forward error correction）を容易にするために該データを符号化（例えば、ターボ符号）するために使用されることができる。符号化のプロセスにより、変調シンボルの系列を生成するためにＴＸデータプロセッサ２０２よって信号コンスタレーションにマップされ、及び共にブロック化されることができるコードシンボルの系列が生じる。
【００２６】
ＯＦＤＭをインプリメントする複数の無線ノードでは、ＴＸデータプロセッサ２０２からの複数の変調シンボルは、ＯＦＤＭ変調器２０４に提供されることができる。ＯＦＤＭ変調器２０４は、複数の変調シンボルを多くの並列ストリームに分割し、そして次に、ある変調コンスタレーションを用いて各ストリームをサブキャリアにマップする。次に、複数の時間領域のＯＦＤＭシンボルを生成するために、複数のサブキャリアの各セットに対して高速逆フーリエ変換（ＩＦＦＴ）が行われ、各ＯＦＤＭシンボルは、複数のサブキャリアのセットを有する。該複数のＯＦＤＭシンボルは、マルチプルな複数のデータパケットの複数のペイロード中に分配される。
【００２７】
無線ノード２００の少なくとも１つの構成では、プリアンブルは、各データパケット中のペイロードと一緒に運ばれる。該プリアンブルは、プリアンブル装置２０３によってＯＦＤＭ変調器２０４に提供される幾つかのシンボルから成り立つことができる。ＯＦＤＭ変調器２０４は、該複数のプリアンブルシンボルを多くの並列ストリームに分割し、そしてある変調コンスタレーションを用いて各ストリームをサブキャリアにマップする。該プリアンブルを構成する１つ又は複数の時間領域のＯＦＤＭシンボルを生成するために、ＩＦＦＴが、複数のサブキャリアの各セットに対して次に行われる。それから該プリアンブルは、該複数のデータパケットをＴＸ空間プロセッサ２０５に提供する前に、各データパケットによって運ばれるペイロードに付加される。
【００２８】
ＴＸ空間プロセッサ２０５は、複数のデータパケットに対して空間処理を行う。これは、該複数のデータパケットを多くの空間的にプリコーディングされたストリームに空間的にプリコーディングし、そして次に各空間的にプリコーディングされたストリームを、トランシーバ２０６を介して異なるアンテナ２０８に提供することによって達成されることができる。各トランシーバ２０６は、無線チャネル上の送信のために、それぞれのプリコーディングされたストリームを用いてＲＦキャリアを変調する。
【００２９】
受信モードでは、各トランシーバ２０６は、それぞれのアンテナ２０８を通じて信号を受信する。各トランシーバ２０６は、ＲＦキャリア上へ変調された情報を回復し、そして該情報をＲＸ空間プロセッサ２１０に提供するために使用されることができる。
【００３０】
ＲＸ空間プロセッサ２１０は、無線ノード２００に行き先を定められた何れの空間ストリーム上で運ばれた複数のデータパケット回復するために、該情報に対して空間処理を行う。該空間処理は、チャネル相関行列反転（ＣＣＭＩ：Channel Correlation Matrix Inversion）、最小平均二乗誤差（ＭＭＳＥ：Minimum Mean Square Error）、軟判定干渉除去（ＳＩＣ：Soft Interference Cancellation）、又は何か他の適切な技術に従って行われることができる。
【００３１】
プリアンブル装置２０３は、ＯＦＤＭ復調器２１２に同期情報を提供するために、各データパケット中のプリアンブルを使用する。ＯＦＤＭ復調器２１２は、データパケットのペイロード中の複数のＯＦＤＭシンボルにおける各サブキャリア上で運ばれたデータを回復し、そして複数の変調シンボルのストリームに該データを多重化する。ＯＦＤＭ復調器２１２は、高速フーリエ変換（ＦＦＴ）を使用して該ストリームを時間領域から周波数領域に変換する。周波数領域の信号は、各サブキャリアのために別々のストリームを具備する。
【００３２】
チャネル推定器２１５は、ＯＦＤＭ復調器から該複数のストリームを受信し、そして該チャネル応答を推定する。プリアンブルの一部として、複数のパイロット信号のセットが存在し得る。各パイロット信号は、無線チャネルを通じた送信により、一般に位相においてシフトされる。複数の位相シフトされたパイロット信号の複数のＭＭＳＥ推定値が計算され、そして複数のＭＭＳＥ推定値は、位相誤り、及び結果としてチャネル応答を推定するために使用される。該チャネル応答は、ＲＸデータプロセッサ２１４に提供される。
【００３３】
ＲＸデータプロセッサ２１４は、複数の変調シンボルを信号コンスタレーションにおける正しい点に戻すように変換するために使用される。無線チャネルにおける雑音及び他の障害から、該複数の変調シンボルは、元の信号コンスタレーションにおける点の正確な位置と一致しないことがあり得る。チャネル応答を使用して、ＲＸデータプロセッサ２１４は、信号コンスタレーションにおける有効なシンボルの位置と該受信された点との間の最小の距離を見出すことによって、どの変調シンボルが最も送信された可能性があるかを検出する。これらの軟判定は、ターボ符号の場合には、例えば、所与の複数の変調シンボルに関連付けられる複数のコードシンボルの対数−尤度比（ＬＬＲ：Log-Likelihood Ratio）を計算するために使用されることができる。次に、ＲＸデータプロセッサ２１４は、データ受信装置２１８に該データを提供する前に当初送信されたデータを復号するために、コードシンボルの系列の複数のＬＬＲ及び位相誤りの推定を使用する。
【００３４】
各データパケット内のプリアンブルは、トレーニング系列を含む。トレーニング系列は、多くの変調されたシンボルを含む。トレーニング系列は、ショートトレーニングフィールド（ＳＴＦ）及び／又はロングトレーニングフィールド（ＬＴＦ）を含むことができる。プリアンブル装置２０３はＯＦＤＭ変調器２０４と共に、以下の複数の仕組みに従って複数のプリアンブルを作成する。１つの仕組みでは、該複数のプリアンブルは、異なる複数の拡散系列を用いて複数のデータパケットの各々における（ＳＴＦ又はＬＴＦのような）トレーニング系列の少なくとも一部を乗算することによって生成される。該複数の拡散系列は、直交系列であることができる。巡回遅延（ＣＤ）又は巡回遅延ダイバーシチ（ＣＣＤ）が、異なる複数の拡散系列のうちの１つ又はそれ以上に適用されることができる。更に、複数のトレーニング系列の各々は、複数のゼロでないサブキャリアを有することができ、そして異なる複数の拡散系列の各々は、ｋの値を有することができる。
【００３５】
データパケットの数がｍである時は、複数のデータパケットの各々におけるトレーニング系列の少なくとも一部は、異なる複数の拡散系列を含むｍ×ｋ行列の一部を用いて乗算される。該行列は、アダマール行列（Hadamard matrix）であることができる。或いは、複数のデータパケットの各々におけるトレーニング系列の少なくとも一部は、異なる複数の拡散系列を具備するＦＦＴ行列を用いて乗算されることができる。上述の構成の幾つかを詳しく述べている数例を以下に例示する。
【００３６】
１つの構成では、８００nsの繰り返し間隔が維持される。これは、８０２．１１の多くのバージョンに、ここに示される複数の新規のプリアンブルを検出するための自己相関検出（auto correlation detection）を行うことを可能にする。基本的に、６００ｎｓの可能性のある（possible）ＣＤスプレッド（CD spread）を有する８０２．１１ｎ−ＧＦを検出することができる何れの受信機は、該複数の新規のプリアンブルを検出することができる見込みである。従って、ここに示された複数の新規のプリアンブルは、ミックスモードタイプのプリアンブルとして使用されることができる。該複数のプリアンブルは、異なる系列を用いて各ストリームの複数のＳＴＦサブキャリアを乗算することによって得られることができる。例えば、４０ＭＨＺ  ＳＴＦの２４のゼロでないサブキャリアのための長さ２４の複数のアダマール系列が使用されることができる。この場合には、送信ｍのためのＳＴＦサブキャリアｋは以下のように定義される：
ｓｍｋ＝ｗｍｋｓｋ
ここでｓｋは、８０２．１１ｎ  ＳＴＦシンボルの２４のゼロでないサブキャリアの値であり、そしてｗｍｋは、２４×２４直交アダマール行列からの＋１／−１の値である。
【００３７】
１２の直交する長さ−１２（length-12）の系列のみが存在し得る２０ＭＨＺに関しては、１２以上の空間ストリームをサポートするために、長さ−１２の系列とＣＤＤの組み合わせが使用されることができる。この場合には、送信ｍのためのＳＴＦサブキャリアｋは、以下のように定義される：
ｓｍｋ＝ｗｍｋｓｋ
ここでｓｋは、２０ＭＨｚチャネルのための８０２．１１ｎ  ＳＴＦシンボルの１２のゼロでないサブキャリアの値であり、そしてｗｍｋは、１２×１２直交アダマール行列からの＋１／−１の値である。複数のアダマール系列による乗算に加えて、−２００ｎｓの巡回遅延の値が送信機１３−１６に適用される。他のＣＤの値もまた、可能であることができる。
【００３８】
別の構成では、各送信の複数のＬＴＦサブキャリアは、異なる近い直交系列（near orthogonal sequence）を用いて乗算される。８０２．１１ｎにおいて使用される多くのゼロでないサブキャリアに関しては、既知である２値直交パターン（binary orthogonal patterns）は存在しないかもしれない。しかしながら、１１４のゼロでないサブキャリアの場合に関する１１４×１１４ＦＦＴ行列の複数の列のような、複雑な直交パターンを使用することは可能になるであろう。１２８×１２８アダマール行列の最初の１１４の行及び列を使用することによって、近い直交２進コード（near orthogonal binary code）を適用することがまた可能である。上記のプリアンブルは、長い繰り返し時間を有し、従ってより多様なＣＤＤの値を見込む。上記のプリアンブルは、異なる送信機間の相関を更に減らすことを可能にする。
【００３９】
高速スループット無線通信のための複数のトレーニング系列を得ることに関する上記の複数のスキームは、複数の送信機間の特定の位相関係に高度に依存しているわけではない。高速スループット無線通信のための複数のトレーニング系列は、８０２．１１ｎのようなシステムにおけるそれらと類似した繰り返し間隔を有することができる。更に、それらはレガシー８０２．１１ｎ受信機によって検出されることができる。
【００４０】
上に記述されたステップの何れの特定の順序又は階層は、プリアンブル装置に関係しているプロセスの例を提供するために示されていることが理解される。設計の選択に基づいて、ステップの特定の順序又は階層は、本発明の範囲内にとどまりながら再配置され得ることが理解される。
【００４１】
プリアンブル装置、変調装置、及び復調は、１つ又は複数の汎用プロセッサ、デジタル信号プロセッサ（ＤＳＰ）、特定用途向け集積回路（ＡＳＩＣ）、フィールドプログラマブルなゲートアレイ（ＦＰＧＡ）、プログラマブルなロジックデバイス（ＰＬＤ）、他のプログラマブルなロジック構成要素、個別のゲート又はトランジスタロジック、個別のハードウェア構成要素、或いはここに記述された機能を行うように設計されるそれらの何れの組み合わせを用いてインプリメントされることができる。汎用プロセッサは、マイクロプロセッサ、制御装置、マイクロコントローラー、ステート（state）マシン、又はソフトウェアを実行できるその他任意の回路構成であることができる。ソフトウェアは、ソフトウェア、ファームウェア、ミドルウェア、マイクロコード、ハードウェア記述言語、又は別な方法で称されようと、命令、データ、又はそれらの何れの組み合わせを意味するように広く解釈されるべきである。ソフトウェアは、機械可読媒体に格納されるか、ＤＳＰ又はＡＳＩＣのような１つ又は複数の構成要素に埋め込まれる（embedded）ことができる。機械可読媒体は、例として、ＲＡＭ（ランダムアクセスメモリ）、フラッシュメモリ、ＲＯＭ（読み出し専用メモリ）、ＰＲＯＭ（プログラマブルな読み出し専用メモリ）、ＥＰＲＯＭ（消去可能プログラム可能読み出し専用メモリ）、ＥＥＰＲＯＭ（電気的に消去可能なＰＲＯＭ）、レジスタ、磁気ディスク、光ディスク、ハードドライブ、又はその他任意の適切な記憶媒体、或いはそれらの何れの組み合わせを含む様々なメモリ構成要素を含むことができる。機械可読媒体はまた、伝送路、データによって変調されたキャリア、及び／又は無線ノードにソフトウェアを提供するための他の手段を含むことができる。機械可読は、コンピュータプログラム製品に組み込まれることができる。該コンピュータプログラム製品は、複数のパッケージングマテリアル（packaging material）を具備することができる。
【００４２】
上述された複数の装置が、ハードウェアか、ソフトウェアか、又はそれらの組み合わせにおいてインプリメントされるかどうかは、オーバオールな（overall）システムに課せられた設計の制約及び特定のアプリケーションに依存するであろう。当業者は、それぞれの特定のアプリケーションに関して多様な仕方（ways）において、該記述された機能をインプリメントすることができるが、そのようなインプリメンテーションの決定は、本発明の範囲から逸脱すると解釈されるべきでない。
【００４３】
前の記述は、何れの当業者が本発明の全ての範囲を十分に理解することを可能にするために提供される。ここに開示された様々な構成に対する変更は、当業者にとって容易に（readily）明らかになるであろう。従って、特許請求の範囲は、ここに記述された本発明の様々な態様に限定されるようには意図されておらず、特許請求の範囲の文言と整合する全ての範囲と一致するように意図され、ここにおいて参照される各々の構成要素は、明確に規定されない限りは「１つ及びただ１つ」を意味するようには意図されておらず、「１つ又は複数」を意味するように意図されている。他の方法で明確に規定されてない限りは、「幾つかの」という用語は、１つ又は複数を指す。この開示の全体にわたって記述された、当業者によって知られている、又は知られるようになる様々な態様の要素と、構成的又は機能的に同等である全ての要素は、参照によってここに明確に組み込まれ、特許請求の範囲によって包含されるように意図されている。更に、ここに開示されたどのような要素も、このような開示が特許請求の範囲内で述べられているかどうかに関わらず、公衆に提供されるようには意図されていない。請求項の構成要素が、「〜する手段」という語句を用いて明確に述べられているか、又は、方法請求項の場合において、「〜するステップ」という語句を用いて述べられていない限りは、請求項の構成要素は、３５Ｕ．Ｓ．Ｃ．１１２条第６項による規定の下で解釈されるべきではない。
【図１】
2012500574.tif 000003
【図２】
2012500574.tif 000004
【手続補正書】
【提出日】平成23年8月12日(2011.8.12)
【手続補正１】
【補正対象書類名】特許請求の範囲
【補正対象項目名】全文
【補正方法】変更
【補正の内容】
【特許請求の範囲】
【請求項１】
下記を具備する、通信のための装置：
複数の空間ストリームを生成するように構成される処理システム、ここにおいて前記複数の空間ストリームの各々は、トレーニング系列を有するデータパケットを具備し、前記処理システムは、異なる拡散系列を用いて前記複数の空間ストリームの各々における前記トレーニング系列の少なくとも一部を乗算するように更に構成される。
【請求項２】
前記複数のトレーニング系列の各々は、複数のサブキャリアを具備し、またここにおいて前記処理システムは、異なる拡散系列を用いて前記複数の空間ストリームの各々における前記トレーニング系列の前記少なくとも一部の前記複数のサブキャリアを乗算するように更に構成される、請求項１に記載の装置。
【請求項３】
前記複数の拡散系列の各々は、直交系列を具備する、請求項１に記載の装置。
【請求項４】
前記処理システムは、前記異なる複数の拡散系列のうちの１つ又はそれ以上に巡回遅延を適用するように更に構成される、請求項１に記載の装置。
【請求項５】
前記複数のトレーニング系列の各々は、ｋのゼロでないサブキャリアを具備する、請求項１に記載の装置。
【請求項６】
前記異なる複数の拡散系列の各々は、ｋの値を具備する、請求項５に記載の装置。
【請求項７】
前記複数の空間ストリームは、ｍの空間ストリームを具備し、またここにおいて前記処理システムは、前記異なる複数の拡散系列を具備するｍ×ｋ行列の一部を用いて前記複数の空間ストリームの各々における前記トレーニング系列の前記少なくとも一部を乗算するように更に構成される、請求項５に記載の装置。
【請求項８】
前記複数のトレーニング系列の各々は、複数のサブキャリアを具備し、またここにおいて前記処理システムは、前記異なる複数の拡散系列を具備するｍ×ｋ行列の前記一部を用いて前記複数の空間ストリームの各々における前記トレーニング系列の前記少なくとも一部の前記複数のサブキャリアを乗算するように更に構成される、請求項７に記載の装置。
【請求項９】
前記行列は、アダマール行列を具備する、請求項８に記載の装置。
【請求項１０】
前記処理システムは、前記異なる複数の拡散系列を具備するアダマール行列の一部を用いて前記複数の空間ストリームの各々における前記トレーニング系列の前記少なくとも一部を乗算するように更に構成される、請求項５に記載の装置。
【請求項１１】
前記処理システムは、前記異なる複数の拡散系列を具備する高速フーリエ変換（ＦＦＴ）行列を用いて前記複数の空間ストリームの各々における前記トレーニング系列の前記少なくとも一部を乗算するように更に構成される、請求項５に記載の装置。
【請求項１２】
複数のアンテナを更に具備する請求項１に記載の装置、ここにおいて前記処理システムは、前記複数の空間ストリームの各々を、前記複数のアンテナのうちの異なる１つのアンテナに提供するように更に構成される。
【請求項１３】
下記を具備する通信のための方法：
複数の空間ストリームを生成すること、ここにおいて前記複数の空間ストリームの各々は、トレーニング系列を有するデータパケット具備する；及び
異なる拡散系列を用いて前記複数の空間ストリームの各々における前記トレーニング系列の少なくとも一部を乗算すること。
【請求項１４】
前記複数のトレーニング系列の各々は、複数のサブキャリアを具備し、またここにおいて前記複数の空間ストリームの各々における前記トレーニング系列の前記少なくとも一部の前記複数のサブキャリアは、異なる拡散系列を用いて乗算される、請求項１３に記載の方法。
【請求項１５】
前記複数の拡散系列の各々は、直交系列を具備する、請求項１３に記載の方法。
【請求項１６】
前記方法は、前記異なる複数の拡散系列のうちの１つ又はそれ以上に巡回遅延を適用することを更に具備する、請求項１３に記載の方法。
【請求項１７】
前記複数のトレーニング系列の各々は、ｋのゼロでないサブキャリアを具備する、請求項１３に記載の方法。
【請求項１８】
前記異なる複数の拡散系列の各々は、ｋの値を具備する、請求項１７に記載の方法。
【請求項１９】
前記複数の空間ストリームは、ｍの空間ストリームを具備し、またここにおいて前記複数の空間ストリームにおける前記複数のトレーニング系列の前記少なくとも一部は、前記異なる複数の拡散系列を具備するｍ×ｋ行列の一部を用いて乗算される、請求項１７に記載の方法。
【請求項２０】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項１９に記載の方法。
【請求項２１】
前記行列は、アダマール行列を具備する、請求項２０に記載の方法。
【請求項２２】
前記複数の空間ストリームの各々における前記トレーニング系列の前記少なくとも一部は、前記異なる複数の拡散系列を具備するアダマール行列の一部を用いて乗算される、請求項１７に記載の方法。
【請求項２３】
前記複数の空間ストリームの各々における前記トレーニング系列の前記少なくとも一部は、前記異なる複数の拡散系列を具備するＦＦＴ行列を用いて乗算される、請求項１７に記載の方法。
【請求項２４】
前記複数の空間ストリームの各々を、複数のアンテナのうちの異なる１つのアンテナに提供することを更に具備する、請求項１３に記載の方法。
【請求項２５】
下記を具備する通信のための装置：
複数の空間ストリームを生成する手段、ここにおいて前記複数の空間ストリームの各々は、トレーニング系列を有するデータパケットを具備する；及び
異なる拡散系列を用いて前記複数の空間ストリームの各々における前記トレーニング系列の少なくとも一部を乗算する手段。
【請求項２６】
前記複数のトレーニング系列の各々は、複数のサブキャリアを具備し、またここにおいて前記乗算する手段は、異なる拡散系列を用いて前記複数の空間ストリームの各々における前記トレーニング系列の前記少なくとも一部の前記複数のサブキャリアを乗算するように構成される、請求項２５に記載の装置。
【請求項２７】
前記複数の拡散系列の各々は、直交系列を具備する、請求項２５に記載の装置。
【請求項２８】
前記装置は、前記異なる複数の拡散系列のうちの１つ又はそれ以上に巡回遅延を適用する手段を更に具備する、請求項２５に記載の装置。
【請求項２９】
前記複数のトレーニング系列の各々は、ｋのゼロでないサブキャリアを具備する、請求項２５に記載の装置。
【請求項３０】
前記異なる複数の拡散系列の各々は、ｋの値を具備する、請求項２９に記載の装置。
【請求項３１】
前記複数の空間ストリームは、ｍの空間ストリームを具備し、またここにおいて前記乗算する手段は、前記異なる複数の拡散系列を具備するｍ×ｋ行列の一部を用いて前記複数の空間ストリームにおける前記複数のトレーニング系列の前記少なくとも一部を乗算するように構成される、請求項２９に記載の装置。
【請求項３２】
前記複数のトレーニング系列の各々は、複数のサブキャリアを具備し、またここにおいて前記乗算する手段は、前記異なる複数の拡散系列を具備する前記ｍ×ｋ行列の前記一部を用いて前記複数の空間ストリームの各々における前記トレーニング系列の前記少なくとも一部の前記複数のサブキャリアを乗算するように構成される、請求項３０に記載の装置。
【請求項３３】
前記行列は、アダマール行列を具備する、請求項３１に記載の装置。
【請求項３４】
前記乗算する手段は、前記異なる複数の拡散系列を具備するアダマール行列の一部を用いて前記複数の空間ストリームの各々における前記トレーニング系列の前記少なくとも一部を乗算するように構成される、請求項２９に記載の装置。
【請求項３５】
前記乗算する手段は、前記異なる複数の拡散系列を具備するＦＦＴ行列を用いて前記複数の空間ストリームの各々における前記トレーニング系列の前記少なくとも一部を乗算するように構成される、請求項２９に記載の装置。
【請求項３６】
前記複数の空間ストリームの各々を、複数のアンテナのうちの異なる１つのアンテナに提供する手段を更に具備する、請求項２５に記載の装置。
【請求項３７】
下記を実行可能な複数の命令を用いて符号化される、無線通信のための機械可読媒体：
複数の空間ストリームを生成すること、ここにおいて前記複数の空間ストリームの各々は、トレーニング系列を有するデータパケットを具備する；及び
異なる拡散系列を用いて前記複数の空間ストリームの各々における前記トレーニング系列の少なくとも一部を乗算すること。
【請求項３８】
下記を具備するアクセスポイント：
ピアのノードのためにネットワークへのバックホールの接続をサポートするように構成される無線ネットワークアダプタ；及び
複数の空間ストリームを生成するように構成される処理システム、ここにおいて前記複数の空間ストリームの各々は、トレーニング系列を有するデータパケットを具備し、前記処理システムは、異なる拡散系列を用いて前記複数の空間ストリームの各々における前記トレーニング系列の少なくとも一部を乗算するように更に構成される。
【請求項３９】
下記を具備する通信のための装置：
複数の空間ストリームを受信するように構成される処理システム、ここにおいて前記複数の空間ストリームの各々は、トレーニング系列を有するデータパケットを具備し、またここにおいて前記複数の空間ストリームの各々における前記トレーニング系列の少なくとも一部は、異なる拡散系列を用いて乗算され、前記処理システムは、前記異なる複数の拡散系列に基づいて前記複数の空間ストリームを復号化するように更に構成される。
【請求項４０】
前記複数のトレーニング系列の各々は、複数のサブキャリアを具備し、また前記複数の空間ストリームの各々における前記トレーニング系列の前記少なくとも一部の前記複数のサブキャリアは、異なる拡散系列を用いて乗算される、請求項３９に記載の装置。
【請求項４１】
前記複数の拡散系列の各々は、直交系列を具備する、請求項３９に記載の装置。
【請求項４２】
前記異なる複数の拡散系列のうちの１つ又はそれ以上は、巡回遅延を具備する、請求項３９に記載の装置。
【請求項４３】
前記異なる複数のトレーニング系列の各々は、ｋのゼロでないサブキャリアを具備する、請求項３９に記載の装置。
【請求項４４】
前記異なる複数の拡散系列の各々は、ｋの値を具備する、請求項４３に記載の装置。
【請求項４５】
前記複数の空間ストリームは、ｍの空間ストリームを具備し、またここにおいて前記複数の空間ストリームの各々における前記トレーニング系列の前記少なくとも一部は、前記異なる複数の拡散系列を具備するｍ×ｋ行列の一部を用いて乗算される、請求項４３に記載の装置。
【請求項４６】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項４５に記載の装置。
【請求項４７】
前記行列は、アダマール行列を具備する、請求項４６に記載の装置。
【請求項４８】
前記複数の空間ストリームの各々における前記トレーニング系列の前記少なくとも一部は、前記異なる複数の拡散系列を具備するアダマール行列の一部を用いて乗算される、請求項４３に記載の装置。
【請求項４９】
前記複数の空間ストリームの各々における前記トレーニング系列の前記少なくとも一部は、前記異なる複数の拡散系列を具備するＦＦＴ行列を用いて乗算される、請求項４３に記載の装置。
【請求項５０】
複数のアンテナを更に具備する請求項３９に記載の装置、ここにおいて前記処理システムは、前記複数の空間ストリームの各々を、前記複数のアンテナのうちの異なる１つのアンテナを介して受信するように更に構成される。
【請求項５１】
前記処理システムは、自動利得制御を設定するために前記複数のトレーニング系列の各々を使用するように更に構成される、請求項３９に記載の装置。
【請求項５２】
前記処理システムは、デジタル利得を修正するために前記複数のトレーニング系列の各々を使用するように更に構成される、請求項３９に記載の装置。
【請求項５３】
下記を具備する、通信のための方法：
複数の空間ストリームを受信すること、ここにおいて前記複数の空間ストリームの各々は、トレーニング系列を有するデータパケットを具備し、ここにおいて前記複数の空間ストリームの各々における前記トレーニング系列の少なくとも一部は、異なる拡散系列を用いて乗算される；及び
前記複数の異なる拡散系列に基づいて前記複数の空間ストリームを復号化すること。
【請求項５４】
前記複数のトレーニング系列の各々は、複数のサブキャリアを具備し、またここにおいて前記複数の空間ストリームの各々における前記トレーニング系列の前記少なくとも一部の前記複数のサブキャリアは、異なる拡散系列を用いて乗算される、請求項５３に記載の方法。
【請求項５５】
前記複数の拡散系列は、直交系列を具備する、請求項５３に記載の方法。
【請求項５６】
前記異なる複数の拡散系列のうちの１つ又はそれ以上は、巡回遅延を具備する、請求項５３に記載の方法。
【請求項５７】
前記複数のトレーニング系列の各々は、ｋのゼロでないサブキャリアを具備する、請求項５３に記載の方法。
【請求項５８】
前記異なる複数の拡散系列の各々は、ｋの値を具備する、請求項５７に記載の方法。
【請求項５９】
前記複数の空間ストリームは、ｍの空間ストリームを具備し、またここにおいて前記複数の空間ストリームの各々における前記トレーニング系列の前記少なくとも一部は、前記異なる複数の拡散系列を具備するｍ×ｋ行列の一部を用いて乗算される、請求項５７に記載の方法。
【請求項６０】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項５９に記載の方法。
【請求項６１】
前記行列は、アダマール行列を具備する、請求項６０に記載の方法。
【請求項６２】
前記複数の空間ストリームの各々における前記トレーニング系列の前記少なくとも一部は、前記異なる複数の拡散系列を具備するアダマール行列の一部を用いて乗算される、請求項５７に記載の方法。
【請求項６３】
前記複数の空間ストリームの各々における前記トレーニング系列の前記少なくとも一部は、前記異なる複数の拡散系列を具備するＦＦＴ行列を用いて乗算される、請求項５７に記載の方法。
【請求項６４】
前記複数の空間ストリームの各々は、複数のアンテナのうちの異なる１つのアンテナを介して受信される、請求項５３に記載の方法。
【請求項６５】
自動利得制御を設定するために前記複数のトレーニング系列の各々を使用することを更に具備する、請求項５３に記載の方法。
【請求項６６】
前記処理システムは、デジタル利得を修正するために前記複数のトレーニング系列の各々を使用することを更に具備する、請求項５３に記載の方法。
【請求項６７】
下記を具備する、通信のための装置：
複数の空間ストリームを受信する手段、ここにおいて前記複数の空間ストリームの各々は、トレーニング系列を有するデータパケットを具備し、ここにおいて前記複数の空間ストリームの各々における前記トレーニング系列の少なくとも一部は、異なる拡散系列を用いて乗算される；及び
前記異なる複数の拡散系列に基づいて前記複数の空間ストリームを復号化する手段。
【請求項６８】
前記複数のトレーニング系列の各々は、複数のサブキャリアを具備し、またここにおいて前記複数の空間ストリームの各々における前記トレーニング系列の前記少なくとも一部の前記複数のサブキャリアは、異なる拡散系列を用いて乗算される、請求項６７に記載の装置。
【請求項６９】
前記複数の拡散系列の各々は、直交系列を具備する、請求項６７に記載の装置。
【請求項７０】
前記異なる複数の拡散系列のうちの１つ又はそれ以上は、巡回遅延を具備する、請求項６７に記載の装置。
【請求項７１】
前記複数のトレーニング系列の各々は、ｋのゼロでないサブキャリアを具備する、請求項６７に記載の装置。
【請求項７２】
前記異なる複数の拡散系列の各々は、ｋの値を具備する、請求項７１に記載の装置。
【請求項７３】
前記複数の空間ストリームは、ｍの空間ストリームを具備し、またここにおいて前記複数の空間ストリームの各々における前記トレーニング系列の前記少なくとも一部は、前記異なる複数の拡散系列を具備するｍ×ｋ行列の一部を用いて乗算される、請求項７１に記載の装置。
【請求項７４】
前記複数のトレーニング系列の各々は、複数のサブキャリアを具備し、またここにおいて前記複数の空間ストリームの各々における前記トレーニング系列の前記少なくとも一部の前記複数のサブキャリアは、前記異なる複数の拡散系列を具備する前記ｍ×ｋ行列の前記一部を用いて乗算される、請求項７３に記載の装置。
【請求項７５】
前記行列は、アダマール行列を具備する、請求項７４に記載の装置。
【請求項７６】
前記複数の空間ストリームの各々における前記トレーニング系列の前記少なくとも一部は、前記異なる複数の拡散系列を具備するアダマール行列の一部を用いて乗算される、請求項７１に記載の装置。
【請求項７７】
前記複数の空間ストリームの各々における前記トレーニング系列の前記少なくとも一部は、前記異なる複数の拡散系列を具備するＦＦＴ行列を用いて乗算される、請求項７１に記載の装置。
【請求項７８】
前記受信する手段は、前記複数の空間ストリームの各々を、複数のアンテナのうちの異なる１つのアンテナを介して受信するように構成される、請求項６７に記載の装置。
【請求項７９】
自動利得制御を設定するために前記複数のトレーニング系列の各々を使用する手段を更に具備する、請求項６７に記載の装置。
【請求項８０】
デジタル利得を修正するために前記複数のトレーニング系列の各々を使用する手段を更に具備する、請求項６７に記載の装置。
【請求項８１】
下記を実行可能な複数の命令を用いて符号化される、通信のための機械可読媒体：
複数の空間ストリームを受信すること、ここにおいて前記複数の空間ストリームの各々は、トレーニング系列を有するデータパケットを具備し、またここにおいて前記複数の空間ストリームの各々における前記トレーニング系列の少なくとも一部は、異なる拡散系列を用いて乗算される；及び
前記異なる複数の拡散系列に基づいて前記複数の空間ストリームを復号化すること。
【請求項８２】
下記を具備するアクセス端末：
複数の空間ストリームを受信するように構成される処理システム、ここにおいて前記複数の空間ストリームの各々は、トレーニング系列を有するデータパケットを具備し、またここにおいて前記複数の空間ストリームの各々における前記トレーニング系列の少なくとも一部は、異なる拡散系列を用いて乗算され、前記処理システムは、前記異なる複数の拡散系列に基づいて前記複数の空間ストリームを復号化するように更に構成される；及び
前記処理システムによってサポートされるユーザインタフェース。
【手続補正２】
【補正対象書類名】明細書
【補正対象項目名】００３７
【補正方法】変更
【補正の内容】
【００３７】
１２の直交する長さ−１２（length-12）の系列のみが存在し得る２０ＭＨＺに関しては、１２以上の空間ストリームをサポートするために、長さ−１２の系列とＣＤＤの組み合わせが使用されることができる。この場合には、送信ｍのためのＳＴＦサブキャリアｋは、以下のように定義される：
ｓｍｋ＝ｗｍｋｓｋ
ここでｓｋは、２０ＭＨｚチャネルのための８０２．１１ｎ  ＳＴＦシンボルの１２のゼロでないサブキャリアの値であり、そしてｗｍｋは、１２×１２直交アダマール行列からの＋１／−１の値である。複数のアダマール系列による乗算に加えて、−２００ｎｓの巡回遅延の値が送信機に適用される。他のＣＤの値もまた、可能であることができる。
【手続補正３】
【補正対象書類名】明細書
【補正対象項目名】００４１
【補正方法】変更
【補正の内容】
【００４１】
プリアンブル装置、変調装置、及び復調装置は、１つ又は複数の汎用プロセッサ、デジタル信号プロセッサ（ＤＳＰ）、特定用途向け集積回路（ＡＳＩＣ）、フィールドプログラマブルなゲートアレイ（ＦＰＧＡ）、プログラマブルなロジックデバイス（ＰＬＤ）、他のプログラマブルなロジック構成要素、個別のゲート又はトランジスタロジック、個別のハードウェア構成要素、或いはここに記述された機能を行うように設計されるそれらの何れの組み合わせを用いてインプリメントされることができる。汎用プロセッサは、マイクロプロセッサ、制御装置、マイクロコントローラー、ステート（state）マシン、又はソフトウェアを実行できるその他任意の回路構成であることができる。ソフトウェアは、ソフトウェア、ファームウェア、ミドルウェア、マイクロコード、ハードウェア記述言語、又は別な方法で称されようと、命令、データ、又はそれらの何れの組み合わせを意味するように広く解釈されるべきである。ソフトウェアは、機械可読媒体に格納されるか、ＤＳＰ又はＡＳＩＣのような１つ又は複数の構成要素に埋め込まれる（embedded）ことができる。機械可読媒体は、例として、ＲＡＭ（ランダムアクセスメモリ）、フラッシュメモリ、ＲＯＭ（読み出し専用メモリ）、ＰＲＯＭ（プログラマブルな読み出し専用メモリ）、ＥＰＲＯＭ（消去可能プログラム可能読み出し専用メモリ）、ＥＥＰＲＯＭ（電気的に消去可能なＰＲＯＭ）、レジスタ、磁気ディスク、光ディスク、ハードドライブ、又はその他任意の適切な記憶媒体、或いはそれらの何れの組み合わせを含む様々なメモリ構成要素を含むことができる。機械可読媒体はまた、伝送路、データによって変調されたキャリア、及び／又は無線ノードにソフトウェアを提供するための他の手段を含むことができる。機械可読媒体は、コンピュータプログラム製品に組み込まれることができる。該コンピュータプログラム製品は、複数のパッケージングマテリアル（packaging material）を具備することができる。
【国際調査報告】
2012500574.tif 000005
2012500574.tif 000006
2012500574.tif 000007